(57)【要約】【課題】組み立てを容易に行うことができるシステムキッチン及びシステムキッチンの組み立て方法を提供する。【解決手段】システムキッチン１００は、床Ｆに設置される箱状の本体部と、一平面が本体部の後側面に対向するボックス３０とを備える。また、システムキッチン１００は、一平面が本体部の後側面に対向し、ボックス３０の左側に設けられており、ボックス３０に重なる重複部３１ｂを有するコンロ側パネル３１を備える。更に、システムキッチン１００は、一平面が本体部の後側面に対向し、ボックス３０の右側に設けられており、ボックス３０に重なる重複部３２ｂを有するシンク側パネル３２を備える。【選択図】図２
2018023622.tif 000002
【特許請求の範囲】
【請求項１】
床に設置される箱状の本体部と、
一平面が前記本体部の側面に対向する第１パネル部と、
一平面が前記側面に対向し、前記第１パネル部の両側に設けられており、前記第１パネル部に重なる重複部を有する二つの第２パネル部と
を備えることを特徴とするシステムキッチン。
【請求項２】
前記第１パネル部は、他平面に開口部を有する箱状をなすことを特徴とする請求項１に記載のシステムキッチン。
【請求項３】
前記第２パネル部は、
前記第２パネル部の前記一平面において、前記重複部及び前記重複部の反対側の間にて並設されており、前記第２パネル部の前記一平面に垂直に突出し、前記床に垂直な方向に長い複数の凸体を有することを特徴とする請求項１又は２に記載のシステムキッチン。
【請求項４】
前記本体部に沿って、前記床に設置される凹条部を更に備え、
前記第２パネル部は、前記凸体夫々から前記床側に突出し、前記凹条部に嵌め込まれている複数の嵌込体を有することを特徴とする請求項３に記載のシステムキッチン。
【請求項５】
前記第２パネル部における前記重複部の反対側の端面に接するエンドパネルを更に備え、
前記重複部から最も離れている一の前記凸体は、前記エンドパネルに接していることを特徴とする請求項３又は請求項４に記載のシステムキッチン。
【請求項６】
前記第１パネル部及び二つの第２パネル部における前記床の反対側の端面に接している笠木を備え、
前記第２パネル部は、前記第２パネル部の前記一平面から突出し、前記笠木及び前記凸体間に位置する凸板を有する
ことを特徴とする請求項３から請求項５までのいずれか一つに記載のシステムキッチン。
【請求項７】
箱状の本体部を床に設置し、
一平面が前記本体部の側面に対向するように第１パネル部を配し、
前記第１パネル部の両側に、二つの第２パネル部を、一平面が前記側面に対向し、前記第１パネル部に一部が重なるように配する
ことを特徴とするシステムキッチンの組み立て方法。
【発明の詳細な説明】
【技術分野】
【０００１】
本開示は、システムキッチン及びシステムキッチンの組み立て方法に関する。
【背景技術】
【０００２】
従来、複数のキャビネットを並べて連結した箱状の本体部と、該本体部の上面に取り付けられたワークトップとを備えるシステムキッチンが普及している。システムキッチンには、ダイニングルームを見渡せるいわゆる対面型のシステムキッチンがある（例えば、特許文献１参照）。対面型のシステムキッチンは、本体部の側面に対向するバックパネルを備え、バックパネルは、本体部の上面よりも垂直方向に突出している。バックパネルにより、システムキッチンの使用に伴う水又は食材の屑等のダイニングルームへの飛散の防止、また、ダイニングルームからの美観の向上等が図られている。バックパネルは、一枚の板、又は端面を互いに突き合わせた複数枚の板により形成される。
【先行技術文献】
【特許文献】
【０００３】
【特許文献１】特開２０１０−０２９５２８号公報
【発明の概要】
【発明が解決しようとする課題】
【０００４】
しかしながら、バックパネルの端面が壁面又はエンドパネルに接するようにシステムキッチンを配置する場合、一枚の板により形成されるバックパネルでは、本体部と、壁面又はエンドパネルとの位置合わせが困難となり、システムキッチンの組み立てに長時間を要するという問題がある。また、バックパネルが、端面を互いに突き合わせた複数枚の板により形成されている場合にも、同様の問題が生じ、更に複数枚の板の端面を正確に当接させることが難しく、システムキッチンの組み立てに長時間を要するという問題がある。
【０００５】
本開示は、斯かる事情に鑑みてなされたものであり、その目的とするところは、組み立てを容易に行うことができるシステムキッチン及びシステムキッチンの組み立て方法を提供することにある。
【課題を解決するための手段】
【０００６】
本開示の一実施形態に係るシステムキッチンは、床に設置される箱状の本体部と、一平面が前記本体部の側面に対向する第１パネル部と、一平面が前記側面に対向し、前記第１パネル部の両側に設けられており、前記第１パネル部に重なる重複部を有する二つの第２パネル部とを備えることを特徴とする。
【０００７】
本開示の一実施形態によれば、第１パネル部を配し、第２パネル部が重複部を有することにより、パネル部材の端面を当接させる必要がなく、本体部に対する二つの第２パネル部の位置合わせを容易に行うことができる。
【０００８】
また、重複部が第１パネル部に重なる領域を増減させることにより、第１パネル部及び二つの第２パネル部の合計の長さを調整できる。これにより、システムキッチンを設置する場合に、本体部、壁面等に対する第１パネル部及び二つの第２パネル部全体の長さ調整及び位置合わせにおいて、設置環境に容易に対応することができる。したがって、システムキッチンの組み立てを容易に行うことができる。
【０００９】
本開示の一実施形態に係るシステムキッチンは、前記第１パネル部は、他平面に開口部を有する箱状をなすことを特徴とする。
【００１０】
本開示の一実施形態によれば、第１パネル部に物品を収納することができる。したがって、スペースの無駄を省くことができる。
【００１１】
本開示の一実施形態に係るシステムキッチンは、前記第２パネル部は、前記第２パネル部の前記一平面において、前記重複部及び前記重複部の反対側の間にて並設されており、前記第２パネル部の前記一平面に垂直に突出し、前記床に垂直な方向に長い複数の凸体を有することを特徴とする。
【００１２】
本開示の一実施形態によれば、凸体により本体部及び第２パネル部の距離を確保でき、第２パネル部の重複部を第１パネル部に重ねる際の位置合わせを容易に行うことができる。
【００１３】
本開示の一実施形態に係るシステムキッチンは、前記本体部に沿って、前記床に設置される凹条部を更に備え、前記第２パネル部は、前記凸体夫々から前記床側に突出し、前記凹条部に嵌め込まれている複数の嵌込体を有することを特徴とする。
【００１４】
本開示の一実施形態によれば、嵌込体を凹条部に嵌め込むことにより、本体部に対する第２パネル部の位置ずれを防止することができる。
【００１５】
本開示の一実施形態に係るシステムキッチンは、前記第２パネル部における前記重複部の反対側の端面に接するエンドパネルを更に備え、前記重複部から最も離れている一の前記凸体は、前記エンドパネルに接していることを特徴とする。
【００１６】
本開示の一実施形態によれば、重複部から最も離れている一の凸体がエンドパネルに接しているので、凸体及びエンドパネルをビス止め等することにより、エンドパネルを第２パネル部に固定することができる。
【００１７】
本開示の一実施形態に係るシステムキッチンは、前記第１パネル部及び二つの第２パネル部における前記床の反対側の端面に接している笠木を備え、前記第２パネル部は、前記第２パネル部の前記一平面から突出し、前記笠木及び前記凸体間に位置する凸板を有することを特徴とする。
【００１８】
本開示の一実施形態によれば、凸板及び笠木をビス止め等することができ、笠木を第２パネル部に固定することができる。
【００１９】
本開示の一実施形態に係るシステムキッチンの組み立て方法は、箱状の本体部を床に設置し、一平面が前記本体部の側面に対向するように第１パネル部を配し、前記第１パネル部の両側に、二つの第２パネル部を、一平面が前記側面に対向し、前記第１パネル部に一部が重なるように配することを特徴とする。
【００２０】
本開示の一実施形態によれば、第１パネル部を配し、第２パネル部を第１パネル部に重複させることにより、パネル部材の端面を当接させる必要がなく、本体部に対する二つの第２パネル部の位置合わせを容易に行うことができる。
【００２１】
また、第２パネル部が第１パネル部に重なる領域を増減させることにより、第１パネル部及び二つの第２パネル部の合計の長さを調整できる。これにより、システムキッチンを設置する場合に、本体部、壁面等に対する第１パネル部及び二つの第２パネル部全体の長さ調整及び位置合わせにおいて、設置環境に容易に対応することができる。したがって、システムキッチンの組み立てを容易に行うことができる。
【発明の効果】
【００２２】
本開示の実施形態によれば、本体部、壁面等に対する二つの第２パネル部の位置合わせを容易に行うことができ、また、第１パネル部及び二つの第２パネル部の合計の長さを調整できるので、システムキッチンの組み立てを容易に行うことができる。
【図面の簡単な説明】
【００２３】
【図１】本実施形態に係るシステムキッチンの正面図である。
【図２】本実施形態に係るシステムキッチンの背面図である。
【図３】図１のＩＩＩ−ＩＩＩ線による断面図である。
【図４】図３のＩＶ−ＩＶ線による断面図である。
【図５】システムキッチンの組み立て手順の模式的説明図である。
【図６】システムキッチンの組み立て手順の模式的説明図である。
【図７】システムキッチンの組み立て手順の模式的説明図である。
【図８】システムキッチンの組み立て手順の模式的説明図である。
【図９】システムキッチンの組み立て手順の模式的説明図である。
【図１０】システムキッチンの組み立て手順の模式的説明図である。
【発明を実施するための形態】
【００２４】
以下、本開示をその実施形態を示す図面に基づいて詳述する。以下の説明では、図において矢符で示す上下、前後、及び左右を使用する。図１は、本実施形態に係るシステムキッチンの正面図であり、図２は、背面図であり、図３は、図１のＩＩＩ−ＩＩＩ線による断面図である。
【００２５】
図示のように、本実施形態に係るシステムキッチン１００は、床Ｆに設置され、左右方向に長い直方体箱状の本体部１と、本体部１の右側面全体を覆うエンドパネル２と、本体部１の後側面に対向し、該後側面全体を覆うバックパネル３とを備える。システムキッチン１００は、本体部１の下面が床Ｆに接し、本体部１の左側面が壁Ｗに接するように、配されている。システムキッチン１００は、後側にダイニングルームが位置するように配される。
【００２６】
本体部１は、左右方向に並べて連結されている４つのキャビネット１１〜１４を有する。キャビネット１１〜１４は前部及び上部に開口部（不図示）を有している。図１に示す例では、キャビネット１１の右側にキャビネット１２が連結され、キャビネット１２の右側にキャビネット１３が連結され、キャビネット１３の右側にキャビネット１４が連結されている。
【００２７】
キャビネット１１は、例えばコンロ台であり、前部及び上部が開放された矩形筐状をなす。キャビネット１１の上部の開口部にはビルトイン型のグリル付きのコンロ１１ａが設置されている。前部の開口部には、上下方向に並ぶ２つの抽斗１１ｂ，１１ｃが、キャビネット１１に対して前後方向に出し入れできるように取り付けられる。
【００２８】
キャビネット１３は例えばシンク台（流し台）であり、前部及び上部が開放された矩形筐状をなす。キャビネット１３の上部の開口部にはシンク１３ａが設置され、前部の開口部には、上下方向に並ぶ２つの抽斗１３ｂ，１３ｃが、キャビネット１３に対して前後方向に出し入れできるように取り付けられる。シンク１３ａに接続される排水管はキャビネット１３内に配置されるので、抽斗１３ｂ，１３ｃはキャビネット１３に収納された場合に排水管に接触しない大きさに構成される。
【００２９】
キャビネット１２，１４は、例えば食品、食器又は調理用具等を収納するキャビネットであり、前部及び上部が開放された矩形筐状をなす。キャビネット１２の前部の開口部には、上下方向に並ぶ３つの抽斗１２ａ，１２ｂ，１２ｃが、キャビネット１２に対して前後方向に出し入れできるように取り付けられる。また、同様にキャビネット１４の前部の開口部には、上下方向に並ぶ３つの抽斗１４ａ，１４ｂ，１４ｃが、キャビネット１４に対して前後方向に出し入れできるように取り付けられる。
【００３０】
システムキッチン１００は、上述したように連結されたキャビネット１１〜１４の上面に配された平板状のワークトップ１５を備える。ワークトップ１５により、キャビネット１１〜１４の上部の開放部分が閉鎖されると共に、キャビネット１１〜１４間の隣接箇所の上側が被覆され、システムキッチン１の上面に平坦な作業面が構成される。
【００３１】
ワークトップ１５には、キャビネット１１に対応する位置に開口部１５ａが設けられ、開口部１５ａからコンロ１１ａの加熱部分が露出している。ワークトップ１５のキャビネット１３のシンク１３ａに対応する位置には、開口部１５ｂが設けられ、開口部１５ｂからシンク１３ａが露出している。
【００３２】
なお、キャビネット１１〜１４に、食器洗い乾燥機、オーブンレンジ等の電気機器を組み込んでもよい。
【００３３】
エンドパネル２は、上述のように、本体部１１の右側面全体を覆っている。エンドパネル２の後端面は、本体部１１の後側面よりも後側に突出し、後述するバックパネルのシンク側パネルの後平面と同一面を形成している。
【００３４】
バックパネル３は、本体部１の上面よりも垂直に突出している。バックパネル３は、ボックス３０、コンロ側パネル３１及びシンク側パネル３２を有する。ボックス３０は、後平面に開口部３０ａが設けられた上下方向に長い直方体状の浅底箱型のパネルであり、本体部１の長手方向の中央部に配され、前平面が本体部１の後側面に対向している。ボックス３０は、内部を上下に仕切る仕切り板３０ｂを有する。ボックス３０の内部の上側において、左側面にはコンセントのジャック３０ｃが設けられている。
【００３５】
コンロ側パネル３１は、前平面において、上下方向に延び前側に垂直に突出し、左辺部から等間隔に設けられている角棒状の３本の凸体３１ａを有する。各凸体３１ａは、コンロ側パネル３１の上辺部から所定距離離隔している。また、最も右側に位置する凸体３１ａは、コンロ側パネル３１の右辺部から所定距離離れている。
【００３６】
コンロ側パネル３１の右辺部は、ボックス３０の後平面の左辺部よりも後側に位置しており、前後方向に重なっている。したがって、コンロ側パネル３１の右辺部は、ボックス３０の後平面に前後方向に重なる重複部３１ｂを形成している。重複部３１ｂは、ボックス３０の開口部３０ａの縁部分に接している。最も左側に位置する、即ち重複部３１ｂから最も離れた凸体３１ａは、コンロ側パネル３１の左端面に沿わせて設けられており、側面が壁Ｗに接している。
【００３７】
コンロ側パネル３１は、前平面の前記上辺部に設けられ、左右方向に延び、前側に垂直に突出している凸板３１ｃを有する。凸板３１ｃの下面は、各凸体３１ａの上端面に接している。コンロ側パネル３１は、凸体３１ａに上下方向の中央部から下側に重ねられ、上下方向に延びる角棒状の嵌込体３１ｄを有する。嵌込体３１ｄにおける下側即ち床側の一端部３１ｅは、凸体３１ａよりも下側に位置している。したがって、嵌込体３１ｄは、その一端部３１ｅが、凸体３１ａから床Ｆ側に突出していることとなる。一端部３１ｅは、後述する凹条部に嵌め込まれている。
【００３８】
シンク側パネル３２は、前平面において、上下方向に延び前側に垂直に突出し、右辺部から等間隔に設けられている角棒状の３本の凸体３２ａを有する。各凸体３２ａは、シンク側パネル３２の上辺部から所定距離離隔している。また、最も左側に位置する凸体３２ａは、シンク側パネル３２の左辺部から所定距離離れている。
【００３９】
シンク側パネル３２の左辺部は、ボックス３０の後平面の右辺部よりも後側に位置しており、前後方向に重なっている。したがって、シンク側パネル３２の左辺部は、ボックス３０の後平面に前後方向に重なる重複部３２ｂを形成している。重複部３２ｂは、ボックス３０の開口部３０ａの縁部分に接している。最も右側に位置する、即ち重複部３２ｂから最も離れた凸体３２ａは、シンク側パネル３２の右端面に沿わせて設けられており、側面がエンドパネル２に接している。
【００４０】
シンク側パネル３２は、前平面の前記上辺部に設けられ、左右方向に延び、前側に垂直に突出している凸板３２ｃを有する。凸板３２ｃの下面は、各凸体３２ａの上端面に接している。シンク側パネル３２は、凸体３２ａに、上下方向の中央部から下側に重ねられ、上下方向に延びる角棒状の嵌込体３２ｄを有する。嵌込体３２ｄにおける下側即ち床側の一端部３２ｅは、凸体３２ａよりも下側に位置している（後述する図６Ｅ及び図７Ｆ参照）。したがって、嵌込体３２ｄは、その一端部３２ｅが、凸体３２ａから床Ｆ側に突出していることとなる。一端部３２ｅは、後述する凹条部に嵌め込まれている。
【００４１】
コンロ側パネル３１の凸体３１ａ及びシンク側パネル３２の凸体３２ａは、一本の角棒により形成してもよく、前後方向に二本の角棒を重ねて接合することにより形成してもよい。また、コンロ側パネル３１の凸体３１ａ及びシンク側パネル３２の凸体３２ａは、各棒状に限らず、その他の形状であってもよい。
【００４２】
ボックス３０の上端面、コンロ側パネル３１の上端面、シンク側パネル３２の上端面及びエンドパネル２の上端面は、同一面を形成しており、該同一面には左右方向に長い矩形平板状の笠木４０が載置され、固定されている。笠木４０の左端面は、壁Ｗに接しており、右端面は、エンドパネル２の右平面と同一面を形成している。ここで、コンロ側パネル３１において、凸板３１ｃは、笠木４０及び凸体３１ａ間に位置することとなる。また、シンク側パネル３２において、凸板３２ｃは、笠木４０及び凸体３２ａ間に位置することとなる。
【００４３】
バックパネル３の本体部１の上面よりも突出する部分において、ボックス３０の前平面、コンロ側パネル３１及びシンク側パネル３２の前側にわたって、左右方向に長いキッチンパネル４１が取り付けられている。キッチンパネル４１には、キャビネット１２に対応する位置にコンセントのジャック４１ａが設けられている。なお、図４においては、キッチンパネル４１の図示を省略している。
【００４４】
本体部１の後側面と、嵌込体３１ｄ及び嵌込体３２ｄとの間には、上下夫々に左右方向に長い矩形板状の芯材１１０，１１１が本体部１に沿って配されている。芯材１１０，１１１を介して、本体部１と、嵌込体３１ｄ及び嵌込体３２ｄ夫々とがビス止めされている。
【００４５】
また、システムキッチン１０は、断面がＬ字状で左右方向に長いアングル４２を備える。アングル４２は、本体部１の後側面に沿って、ボックス３０が載置される部分を空けて配されている。アングル４２は、Ｌ字の一辺が左右方向に延びて床Ｆに接し、他辺は上方向に延びて芯材１１１と離隔している。Ｌ字の前記一辺に係る一端部が芯材１１１の後面に接しており、前記他辺に係る他端部が芯材１１１と離隔している。したがって、芯材１１１の後面及びアングル４２により凹条部４３が形成され、床Ｆに設置されることとなる。
【００４６】
図４に示すようにコンロ側パネル３１の嵌込体３１ｄの一端部３１ｅが凹条部４３の対応する箇所に嵌め込まれている。また、同様に、シンク側パネル３２の嵌込体３２ｄの一端部３２ｅが凹条部４３の対応する箇所に嵌め込まれている。
【００４７】
以上の構成によれば、ボックス３０を配し、コンロ側パネル３１が重複部３１ｂを有し、シンク側パネル３２が重複部３２ｂを有する。したがって、コンロ側パネル３１及びシンク側パネル３２の端面を当接させる必要がなく、本体部１、壁面２及びエンドパネル２に対するコンロ側パネル３１及びシンク側パネル３２の位置合わせを容易に行うことができる。
【００４８】
また、重複部３１ａ及び重複部３２ａがボックス３０に重なる領域を増減させることにより、左右方向におけるボックス３０、コンロ側パネル３１及びシンク側パネル３２の合計の長さ、即ち、バックパネル３の長さを調整できる。これにより、システムキッチン１００を設置する場合に、本体部１、壁面Ｗ及びエンドパネル２に対するバックパネル３における全体の長さの調整及び位置合わせにおいて、キッチンパネル１００の設置環境に容易に対応することができる。したがって、システムキッチン１００の組み立てを容易に行うことができる。
【００４９】
ボックス３０は、後平面に開口部３０ａを有する箱状であるので、物品を収納することができる。したがって、システムキッチン１００におけるスペースの無駄を省くことができる。
【００５０】
凸体３１ａにより本体部１及びコンロ側パネル３１の距離を確保でき、コンロ側パネル３１をボックス３０に重ねる際の位置合わせを容易に行うことができる。
凸体３２ａにより、同様に、シンク側パネル３２をボックス３０に重ねる際の位置合わせを容易に行うことができる。
【００５１】
嵌込体３１ｄの一端部３１ｅを凹条部４３に嵌め込むことにより、本体部１に対するコンロ側パネル３１の位置ずれを防止することができる。また、嵌込体３２ｄの一端部３２ｅを凹条部４３に嵌め込むことにより、本体部１に対するシンク側パネル３２の位置ずれを防止することができる。
【００５２】
シンク側パネル３２において、重複部３２ｂから最も離れている一の凸体３２ａがエンドパネル２に接しているので、該一の凸体３２ａ及びエンドパネル２をビス止めすることができ、エンドパネル２をシンク側パネル３１に固定することができる。
【００５３】
凸板３１ｃ，３２ｃ及び笠木４０をビス止めすることができ、笠木４０をコンロ側パネル３１及びシンク側パネル３２に固定することができる。
【００５４】
なお、システムキッチン２は、本体部１及びバックパネル３が壁Ｗに接するのではなく、エンドパネルに接することとしてもよい。このとき、該エンドパネルは、エンドパネル２と同様にバックパネル３に固定される。
また、キャビネット１１〜１４の連結に係る順序は、本実施形態の順序に限定されず、任意の順序であってよい。
【００５５】
更に、バックパネル３は、左右方向に並設された複数のボックス３０を有していてもよい。また、ボックス３０に代えて、箱型でない平板状のパネルを配してもよい。また、凸体３１ａ，３２ａは夫々、３本に限定されず、２本以下又は４本以上であってもよい。また、コンロ側パネル３１及びシンク側パネル３２は、夫々の重複部３１ｂ，３２ｂがボックス３０の前平面に当接するように配してもよい。
【００５６】
以下、本実施形態に係るシステムキッチン１００の組み立て方法について説明する。図５〜図１０は、システムキッチンの組み立て手順の模式的説明図である。まず、図５Ａに示すように、本体部１を、左側面が壁Ｗに接するように、床Ｆに設置する。
【００５７】
次に、図５Ｂに示すように、アングル４２を本体部１の後側面に沿って設置する。このとき、本体部１の左右方向の中央部において、隙間４４を形成するように配する。なお、この時点で芯材１１０，１１１が配されており、凹条部４３が形成されているが、図示は省略しており、図６においても省略している。
【００５８】
その後、図５Ｃに示すように、隙間４４にボックス３０を配する。ボックス３０は、前平面が、本体部１の後平面に対向するように、開口３０ａを後側にして配される。なお、ボックス３０には、上述のジャック３０ｃが配される凹部が設けられている。
【００５９】
ボックス３０を配した後、図６Ｄに示すように、コンロ側パネル３１を、その左端面を壁Ｗに当接させ、コンロ側パネル３１の右端部即ち重複部３１ｂがボックス３０に前後方向に重なるように配する。このとき、上述の凹条部４３に嵌込体３１ｄの一端部３１ｅを嵌め込む。また、重複部３１ｂの前面をボックス３０の開口部３０ａの縁部分に当接させる。
【００６０】
その後、図６Ｅに示すように、シンク側パネル３２を右端面が本体部１の右側面と同一面を形成し、シンク側パネル３２の左端部即ち重複部３２ｂがボックス３０に前後方向に重なるように配する。このとき、上述の凹条部４３に、嵌込体３２ｄの一端部３２ｅを嵌め込む。また、重複部３２ｂの前面をボックス３０の開口部３０ａの縁部分に当接させる。
【００６１】
その後、図７Ｆに示すように、本体部１の上部にワークトップ１５を配する。ワークトップ１５を配した後、図７Ｇに示すようにエンドパネル２をその左平面が本体部３の右側面及びシンク側パネル３２の右端面に接するように配する。このとき、図９の白抜き矢印の方向に、即ちシンク側パネル３２の凸体３２ａ側から、シンク側パネル３２及びエンドパネル２を上下方向の数か所においてビス止めする。これにより、エンドパネル２が、バックパネル３に接続され、固定される。なお、図９においては、凸板３２ｃの図示を省略している。
【００６２】
その後、図８Ｈに示すように、笠木４０をコンロ側パネル３１、シンク側パネル３２及びエンドパネル２の上端面に載置し、固定する。このとき、図１０の白抜き矢印の方向に、即ちコンロ側パネル３１の凸板３１ｃの下面から、笠木４０及び凸板３１ｃを、左右方向の数か所においてビス止めする。同様にシンク側パネル３２の凸板３２ｃ及び笠木４０をビス止めする。これにより、笠木４０が、コンロ側パネル３１及びシンク側パネル３２に固定される。
【００６３】
その後、キッチンパネル４１を配し、図８Ｉに示すように、コンセントのジャック３０ｃをボックス３０の前記凹部に配することにより、システムキッチン１００が組み立てられる。
【００６４】
以上の方法によれば、ボックス３０を配し、コンロ側パネル３１が重複部３１ｂを有し、シンク側パネル３２が重複部３２ｂを有する。したがって、コンロ側パネル３１及びシンク側パネル３２の端面を当接させる必要がなく、本体部１、壁面２及びエンドパネル２に対するコンロ側パネル３１及びシンク側パネル３２の位置合わせを容易に行うことができる。
【００６５】
また、重複部３１ａ及び重複部３２ａがボックス３０に重なる領域を増減させることにより、左右方向におけるボックス３０、コンロ側パネル３１及びシンク側パネル３２の合計の長さ、即ち、バックパネル３の長さを調整できる。これにより、システムキッチン１００を設置する場合に、本体部１、壁面Ｗ及びエンドパネル２に対するバックパネル３における全体の長さの調整及び位置合わせにおいて、設置環境に容易に対応することができる。したがって、システムキッチン１００の組み立てを容易に行うことができる。
【００６６】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００６７】
１  本体部
２  エンドパネル
３０  ボックス（第１パネル部）
３０ａ  開口部
３１  コンロ側パネル（第２パネル部）
３２  シンク側パネル（第２パネル部）
３１ａ、３２ａ  凸体
３１ｂ、３２ｂ  重複部
３１ｃ、３２ｃ  凸板
３１ｄ、３２ｄ  嵌込体
４０  笠木
４３  凹条部
１００  システムキッチン
【図１】
2018023622.tif 000003
【図２】
2018023622.tif 000004
【図３】
2018023622.tif 000005
【図４】
2018023622.tif 000006
【図５】
2018023622.tif 000007
【図６】
2018023622.tif 000008
【図７】
2018023622.tif 000009
【図８】
2018023622.tif 000010
【図９】
2018023622.tif 000011
【図１０】
2018023622.tif 000012